(57)【要約】      （修正有）【課題】複数のコイルエレメントを有する受信コイルで被検体を撮影する場合に、ダイナミックレンジを拡大することが可能な磁気共鳴イメージング装置を提供する。【解決手段】スイッチ８は、８個の入力端子ＩＮｉ（ｉ＝１〜８の整数）と、８個の出力端子ＯＵＴｉ（ｉ＝１〜８の整数）とを有している。スイッチ８は、中央処理装置１０からの制御信号１０ａに応答して、８個の入力端子ＩＮｉ（ｉ＝１〜８の整数）と、８個の出力端子ＯＵＴｉ（ｉ＝１〜８の整数）との接続を切り替える。コイルエレメント４１、４３、４５、および４７で磁気共鳴信号を受信する場合、スイッチ８の入力端子ＩＮ１、ＩＮ３、ＩＮ５、およびＩＮ７は、それぞれ２つの出力端子に接続されるように切り替わる。【選択図】図５
2011110271.tif 000002
【特許請求の範囲】
【請求項１】
被検体の磁気共鳴信号を受信し、受信した磁気共鳴信号に対応するアナログ信号を生成する複数のコイルエレメントと、
前記アナログ信号が入力される複数の入力端子と前記アナログ信号を出力する複数の出力端子とを有し、前記複数の入力端子と前記複数の出力端子との接続を切り替えるスイッチと、
前記スイッチの前記複数の出力端子に対応して設けられ、前記複数の出力端子から出力されたアナログ信号を増幅又は減衰させる複数の信号調整手段と、
前記複数の信号調整手段に対応して設けられ、前記複数の信号調整手段から出力されたアナログ信号をデジタル信号に変換する複数のＡＤ変換手段と、
前記複数の信号調整手段における前記アナログ信号の増幅量又は減衰量を設定する設定手段と、
前記デジタル信号に基づいて画像を再構成する再構成手段と、
を有する磁気共鳴イメージング装置であって、
前記スイッチは、
前記複数の入力端子のうちの第１の入力端子に入力されたアナログ信号が、前記複数の出力端子のうちの第１の出力端子および第２の出力端子から出力されるように、前記複数の入力端子と前記複数の出力端子との接続を切り替え、
前記設定手段は、
前記複数の信号調整手段のうち、前記第１の出力端子に対応して設けられた第１の信号調整手段における増幅量又は減衰量と、前記複数の信号調整手段のうち、前記第２の出力端子に対応して設けられた第２の信号調整手段における増幅量又は減衰量とを異なる値に設定する、磁気共鳴イメージング装置。
【請求項２】
前記スイッチは、
前記ＡＤ変換手段のダイナミックレンジを広げる必要がある場合、前記複数の入力端子のうちの第１の入力端子に入力されたアナログ信号が、前記複数の出力端子のうちの第１の出力端子および第２の出力端子から出力されるように、前記複数の入力端子と前記複数の出力端子との接続を切り替え、
前記ＡＤ変換手段のダイナミックレンジを広げる必要がない場合、前記複数の入力端子のうちの第１の入力端子に入力されたアナログ信号が、前記複数の出力端子のうちの第１の出力端子から出力されるように、前記複数の入力端子と前記複数の出力端子との接続を切り替える、請求項１に記載の磁気共鳴イメージング装置。
【請求項３】
前記複数のＡＤ変換手段のうちの第１のＡＤ手段は、前記第１の信号調整手段から出力された第１のアナログ信号を第１のデジタル信号に変換し、
前記複数のＡＤ変換手段のうちの第２のＡＤ手段は、前記第２の信号調整手段から出力された第２のアナログ信号を第２のデジタル信号に変換し、
前記再構成手段は、前記第１のデジタル信号と前記第２のデジタル信号とに基づいて、ｋ空間にデータを埋める、請求項１又は２に記載の磁気共鳴イメージング装置。
【請求項４】
前記設定手段が設定する増幅量又は減衰量と、前記アナログ信号が実際に増幅又は減衰するときの増幅量又は減衰量との関係を表す曲線を記憶しておき、前記曲線に基づいて、前記第１のデジタル信号又は第２のデジタル信号を補正する、請求項３に記載の磁気共鳴イメージング装置。
【請求項５】
前記複数の入力端子のうちの一部の入力端子の各々が、前記複数の出力端子のうちの２つの出力端子に接続される、請求項１〜４のうちのいずれか一項に記載の磁気共鳴イメージング装置。
【発明の詳細な説明】
【技術分野】
【０００１】
本発明は、複数のコイルエレメントを有する磁気共鳴イメージング装置に関する。
【背景技術】
【０００２】
近年、多数のコイルエレメントを有する多チャンネルの受信コイルが普及している（特許文献１参照）。多チャンネルの受信コイルを用いることによって、撮像視野を広げて撮影することができる。また、撮影視野が狭い場合は、受信コイルが有する多数のコイルエレメントの中から、撮影部位の近傍に位置するコイルエレメントを選択することによって、狭い撮像視野に対応した撮影を行うこともできる。したがって、多チャンネルの受信コイルは、マイクロイメージングなどの撮像視野が狭い撮影にも用いることができる。
【先行技術文献】
【特許文献】
【０００３】
【特許文献１】特開2009-106480号公報
【発明の概要】
【発明が解決しようとする課題】
【０００４】
しかし、マイクロイメージング撮影では、通常撮影と比較して、磁気共鳴信号の信号値が大きくなる。したがって、マイクロイメージング撮影で収集した磁気共鳴信号をＡＤ（Analog Digital）コンバータでデジタル変換する場合、ＡＤコンバータのダイナミックレンジが足りなくなることがある。
【０００５】
本発明は、上記の事情に鑑み、複数のコイルエレメントを有する受信コイルで被検体を撮影する場合に、ダイナミックレンジを拡大することが可能な磁気共鳴イメージング装置を提供することを目的とする。
【課題を解決するための手段】
【０００６】
上記の問題を解決する本発明の磁気共鳴イメージング装置は、
被検体の磁気共鳴信号を受信し、受信した磁気共鳴信号に対応するアナログ信号を生成する複数のコイルエレメントと、
前記アナログ信号が入力される複数の入力端子と前記アナログ信号を出力する複数の出力端子とを有し、前記複数の入力端子と前記複数の出力端子との接続を切り替えるスイッチと、
前記スイッチの前記複数の出力端子に対応して設けられ、前記複数の出力端子から出力されたアナログ信号を増幅又は減衰させる複数の信号調整手段と、
前記複数の信号調整手段に対応して設けられ、前記複数の信号調整手段から出力されたアナログ信号をデジタル信号に変換する複数のＡＤ変換手段と、
前記複数の信号調整手段における前記アナログ信号の増幅量又は減衰量を設定する設定手段と、
前記デジタル信号に基づいて画像を再構成する再構成手段と、
を有する磁気共鳴イメージング装置であって、
前記スイッチは、
前記複数の入力端子のうちの第１の入力端子に入力されたアナログ信号が、前記複数の出力端子のうちの第１の出力端子および第２の出力端子から出力されるように、前記複数の入力端子と前記複数の出力端子との接続を切り替え、
前記設定手段は、
前記複数の信号調整手段のうち、前記第１の出力端子に対応して設けられた第１の信号調整手段における増幅量又は減衰量と、前記複数の信号調整手段のうち、前記第２の出力端子に対応して設けられた第２の信号調整手段における増幅量又は減衰量とを異なる値に設定する。
【発明の効果】
【０００７】
本発明では、前記スイッチは、前記複数の入力端子のうちの第１の入力端子に入力されたアナログ信号が、前記複数の出力端子のうちの第１の出力端子および第２の出力端子から出力されるように、前記複数の入力端子と前記複数の出力端子との接続を切り替えている。したがって、複数のコイルエレメントを有する場合であっても、ダイナミックレンジを拡大することができる。
【図面の簡単な説明】
【０００８】
【図１】本発明の本実施形態の磁気共鳴イメージング装置の概略図である。
【図２】受信コイル４の概略図である。
【図３】受信コイル４、スイッチ８、および受信器９１〜９８の接続関係を示す図である。
【図４】スイッチ８の接続パターンの一例を示す図である。
【図５】スイッチ８の接続パターンの一例を示す図である。
【図６】受信器９１に入力されたアナログ信号４１ａの処理について説明する図である。
【図７】２つの受信器９１および９２に入力されたアナログ信号４１ａの処理について説明する図である。
【発明を実施するための形態】
【０００９】
以下、本発明の一実施形態について説明するが、本発明は、以下の実施形態に限定されることは無い。
【００１０】
図１は、本発明の一実施形態の磁気共鳴イメージング装置の概略図である。
磁気共鳴イメージング装置（ＭＲＩ装置、ＭＲＩ：Magnetic Resonance Imaging）１は、磁場発生装置２、テーブル３、受信コイル４などを有している。
【００１１】
磁場発生装置２は、被検体１３が収容されるボア２１と、超伝導コイル２２と、勾配コイル２３と、送信コイル２４とを有している。超伝導コイル２２は静磁場Ｂ0を形成し、勾配コイル２３は勾配パルスを印加し、送信コイル２４はＲＦパルスを送信する。
【００１２】
テーブル３は、被検体１３を搬送するためのクレードル３１を有している。クレードル３１によって、被検体１３はボア２１に搬送される。
【００１３】
受信コイル４は、マルチチャンネルコイルである。
図２は、受信コイル４の概略図である。
受信コイル４は、複数のコイルエレメントを有している。本実施形態では、受信コイル４は、８個のコイルエレメント４１〜４８を有している。受信コイル４は被検体１３の腹部１３ａに取り付けられている。コイルエレメント４１〜４８は、腹部１３ａからの磁気共鳴信号を受信し、受信した磁気共鳴信号に対応するアナログ信号４１ａ〜４８ａを生成する。
【００１４】
ＭＲＩ装置１は、更に、シーケンサ５、送信器６、勾配磁場電源７、スイッチ８、受信器９１〜９８、中央処理装置１０、入力装置１１、および表示装置１２を有している。
【００１５】
シーケンサ５は、中央処理装置１０の制御を受けて、ＲＦパルスの情報（中心周波数、バンド幅など）を送信器６に送り、勾配磁場の情報（勾配磁場の強度など）を勾配磁場電源７に送る。
【００１６】
送信器６は、シーケンサ５から送られた情報に基づいて、送信コイル２４を駆動する。
【００１７】
勾配磁場電源７は、シーケンサ５から送られた情報に基づいて、勾配コイル２３を駆動する。
【００１８】
スイッチ８は、受信コイル４の各コイルエレメント４１〜４８と、受信器９１〜９８との接続を切り替える。スイッチ８の具体的な構成および動作については、後述する（図３参照）。
【００１９】
受信器９１〜９８は、受信コイル４で受信された磁気共鳴信号を、スイッチ８を介して受け取り、所定の信号処理を行い、中央処理装置１０に伝送する。本実施形態では、８個の受信器９１〜９８が備えられている。図１では、説明の便宜上、３個の受信器９１、９７、および９８のみが示されている。
【００２０】
中央処理装置１０は、受信器９１〜９８から受け取った信号に基づいて画像を再構成するなど、ＭＲＩ装置１の各種の動作を実現するように、ＭＲＩ装置１の各部の動作を総括する。また、中央処理装置１０は、スイッチ８のスイッチング動作を制御するための制御信号１０ａや、受信器９１〜９８が備えているアッテネータＡＴＴ（図３参照）の減衰量Ｒｇ（ｄＢ：デシベル）を指定するための減衰量指定信号１０ｂを生成する。中央処理装置１０は、例えばコンピュータ（computer）によって構成される。尚、中央処理装置１０は、本発明における設定手段および再構成手段の一例であり、所定のプログラムを実行することにより、これらの手段として機能する。
【００２１】
入力装置１１は、操作者１４の操作に応じて、種々の命令を中央処理装置１０に入力する。表示装置１２は種々の情報を表示する。
ＭＲＩ装置１は、上記のように構成されている。
【００２２】
次に、受信コイル４、スイッチ８、および受信器９１〜９８について説明する。
図３は、受信コイル４、スイッチ８、および受信器９１〜９８の接続関係を示す図である。
【００２３】
スイッチ８は、８個の入力端子ＩＮｉ（ｉ＝１〜８の整数）と、８個の出力端子ＯＵＴｉ（ｉ＝１〜８の整数）とを有している。スイッチ８は、中央処理装置１０からの制御信号１０ａに応答して、８個の入力端子ＩＮｉ（ｉ＝１〜８の整数）と、８個の出力端子ＯＵＴｉ（ｉ＝１〜８の整数）との接続を切り替える。
【００２４】
受信器９１〜９８の各々は、スイッチ８の出力端子から出力されたアナログ信号を減衰させるアッテネータ（信号調整手段）ＡＴＴと、アッテネータＡＴＴから出力されたアナログ信号をデジタル信号に変換するＡＤ変換器ＡＤＣとを有している。アッテネータＡＴＴがアナログ信号を減衰させるときの減衰量は、中央処理装置１０からの減衰量指定信号１０ｂによって決定される。
【００２５】
図４および図５は、スイッチ８の接続パターンの幾つかの例を示す図である。
図４および図５では、コイルエレメント４１、４３、４５、および４７で磁気共鳴信号を受信した場合のスイッチ８の接続パターンが示されている。
【００２６】
ＡＤ変換器ＡＤＣに広いダイナミックレンジが必要とされない撮影の場合、図４に示す接続パターンになる。図４では、入力端子ＩＮ１、ＩＮ３、ＩＮ５、およびＩＮ７が、それぞれ出力端子ＯＵＴ１、ＯＵＴ３、ＯＵＴ５、およびＯＵＴ７に接続されている。したがって、コイルエレメント４１、４３、４５、および４７からのアナログ信号４１ａ、４３ａ、４５ａ、および４７ａは、それぞれ受信器９１、９３、９５、および９７に供給される。
【００２７】
一方、マイクロイメージング撮影など、ＡＤ変換器ＡＤＣに広いダイナミックレンジが必要とされる場合、図５に示す接続パターンに切り替えられる。入力端子ＩＮ１、ＩＮ３、ＩＮ５、およびＩＮ７は、それぞれ２つの出力端子に接続されている。例えば、入力端子ＩＮ１は、２つの出力端子ＯＵＴ１およびＯＵＴ２に接続されている。したがって、コイルエレメント４１からのアナログ信号４１ａは、２つの受信器９１および９２に供給される。同様に、他のコイルエレメント４３、４５、および４７のアナログ信号４３ａ、４５ａ、および４７ａも、２つの受信器に供給される。
【００２８】
次に、ＡＤ変換器ＡＤＣに広いダイナミックレンジが必要とされていない場合のスイッチ８および受信器９１〜９８の動作と、ＡＤ変換器ＡＤＣに広いダイナミックレンジが必要とされている場合のスイッチ８および受信器９１〜９８の動作について順に説明する。尚、以下の説明では、コイルエレメント４１〜４８のうちの４つのコイルエレメント４１、４３、４５、および４７を用いて磁気共鳴信号を受信する場合について説明する。
【００２９】
（１）ＡＤ変換器に広いダイナミックレンジが必要とされていない場合のスイッチ８および受信器の動作について
ＡＤ変換器に広いダイナミックレンジが必要とされていない場合、スイッチ８は、図４に示す接続パターンになる。したがって、コイルエレメント４１、４３、４５、および４７のアナログ信号４１ａ、４３ａ、４５ａ、および４７ａは、それぞれ受信器に入力される。
【００３０】
次に、受信器９１，９３、９５、および９７に入力されたアナログ信号４１ａ、４３ａ、４５ａ、および４７ａがどのように処理されるかについて説明する。尚、受信器９１，９３、９５、および９７に入力されたアナログ信号４１ａ、４３ａ、４５ａ、および４７ａの処理方法は、どのアナログ信号でも同じように処理されるので、以下の説明では、受信器９１に入力されたアナログ信号４１ａを取り上げて説明する（図６参照）。
【００３１】
図６は、受信器９１に入力されたアナログ信号４１ａの処理について説明する図である。
【００３２】
受信器９１のアッテネータＡＴＴの減衰量ＲｇはＲｇ＝Ｒｇ１に設定されている。Ｒｇ１の具体的な値は、被検体１３をスキャンするときに使用されるパルスシーケンスの種類などに応じて、事前に決められている。アッテネータＡＴＴは、受信器９１に入力されたアナログ信号４１ａを減衰量Ｒｇ１で減衰する。アッテネータＡＴＴで減衰されたアナログ信号４１ｂは、ＡＤ変換器ＡＤＣでデジタル信号４１ｃに変換される。デジタル信号４１ｃは、中央処理装置１０に入力され、画像が再構成される。
【００３３】
（２）ＡＤ変換器に広いダイナミックレンジが必要とされている場合のスイッチ８および受信器の動作について
ＡＤ変換器に広いダイナミックレンジが必要とされている場合、スイッチ８は、図５に示す接続パターンになる。したがって、コイルエレメント４１、４３、４５、および４７のアナログ信号４１ａ、４３ａ、４５ａ、および４７ａは、それぞれ２つの受信器に入力される。
【００３４】
次に、２つの受信器に入力されたアナログ信号４１ａ、４３ａ、４５ａ、および４７ａがどのように処理されるかについて説明する。尚、２つの受信器に入力されたアナログ信号４１ａ、４３ａ、４５ａ、および４７ａの処理方法は、どのアナログ信号でも同じように処理されるので、以下の説明では、２つの受信器９１および９２に入力されたアナログ信号４１ａを取り上げて説明する（図７参照）。
【００３５】
図７は、２つの受信器９１および９２に入力されたアナログ信号４１ａの処理について説明する図である。
【００３６】
２つの受信器９１および９２のうちの一方の受信器９１のアッテネータＡＴＴの減衰量Ｒｇは、図６と同様に、Ｒｇ＝Ｒｇ１である。しかし、他方の受信器９２のアッテネータＡＴＴの減衰量Ｒｇは、受信器９１のＡＤ変換器ＡＤＣのダイナミックレンジよりも広げたい分だけ小さい値に設定されている。したがって、他方の受信器のアッテネータＡＴＴの減衰量Ｒｇを、Ｒｇ＝Ｒｇ２とすると、Ｒｇ２は、以下の式で表すことができる。
Ｒｇ２＝Ｒｇ１−ΔＲｇ  ・・・（１）
ここで、ΔＲｇ：受信器９１のＡＤ変換器ＡＤＣのダイナミックレンジよりも広げたい分の値（ｄＢ）
【００３７】
受信器９１のアッテネータＡＴＴは、アナログ信号４１ａを減衰量Ｒｇ１で減衰し、減衰されたアナログ信号４１ｂは、ＡＤ変換器ＡＤＣでデジタル信号４１ｃに変換される。一方、受信器９２のアッテネータＡＴＴは、アナログ信号４１ａを減衰量Ｒｇ２で減衰し、減衰されたアナログ信号４２ｂは、ＡＤ変換器ＡＤＣでデジタル信号４２ｃに変換される。尚、図７には、受信器９１のアッテネータＡＴＴで減衰された後のアナログ信号４１ｂの波形と、受信器９２のアッテネータＡＴＴで減衰された後のアナログ信号４２ｂの波形を概略的に示してある。
【００３８】
アナログ信号４１ｂおよび４２ｂの信号範囲Ａは、ｋ空間の中心付近の領域に対応する信号範囲であり、信号範囲Ｂは、ｋ空間の中心から離れた領域に対応する信号範囲である。
【００３９】
受信器９１のＡＤ変換器ＡＤＣに入力されるアナログ信号４１ｂは、ＡＤ変換器ＡＤＣのダイナミックレンジに収まるので、アナログ信号は、アナログ値に応じたデジタル値に変換される。ただし、信号範囲Ｂでは、アナログ値の差異が小さいので、量子化誤差が大きくなる。
【００４０】
一方、受信器９２のＡＤ変換器ＡＤＣに入力されるアナログ信号４２ｂは、アナログ信号４１ｂよりも減衰量がΔＲｇだけ小さいので、アナログ信号の一部が、ＡＤ変換器ＡＤＣのダイナミックレンジからはみ出てしまう。したがって、はみ出た部分は、全て同じデジタル値に変換される。しかし、アナログ信号４２ｂにおける信号範囲Ｂは、アナログ信号４１ｂにおける信号範囲Ｂよりも、アナログ値を大きくすることができるので、量子化誤差が小さくなる。
【００４１】
デジタル信号４１および４２ｃは、中央処理装置１０に入力される。尚、アナログ信号４１ｂおよび４２ｂを比較すると、減衰量ＲｇがΔＲｇだけ異なっているので（式（１）参照）、中央処理装置１０は、受け取ったデジタル信号４１ｃのデジタル値を、ΔＲｇに対応するデジタル値だけ増加させる。これにより、アナログ信号における減衰量の差ΔＲｇを打ち消すことができる。その後、中央処理装置１０は、これらのデジタル信号に基づいて、ｋ空間にデータを埋める。以下に、ｋ空間にデータを埋める手順について説明する。
【００４２】
図７に示すように、受信器９２におけるアナログ信号４２ｂの場合、信号範囲Ａでは、ダイナミックレンジからはみ出た部分があるので、はみ出た部分は、同じデジタル値に変換される。しかし、信号範囲Ａは、ｋ空間の中心付近の領域に対応する信号範囲であるので、受信器９２からのデジタル信号４２ｃでｋ空間の中心付近の領域を埋めてしまうと、十分なコントラストを得ることができない。そこで、ｋ空間の中心付近の領域を埋める場合、受信器９１におけるデジタル信号４１ｃを利用する。受信器９１のアナログ信号４１ｂは、信号範囲Ａでは十分に大きいアナログ値を有しているので、受信器９１から出力されたデジタル信号４１ｃを利用することにより、十分なコントラストを得ることができる。したがって、信号範囲Ａについては、受信器９１から出力されたデジタル信号４１ｃを利用して、ｋ空間を埋める。
【００４３】
しかし、受信器９１におけるアナログ信号４１ｂは、信号範囲Ｂでは量子化誤差が大きくなるので、受信器９１から出力されるデジタル信号４１ｃを利用して、ｋ空間の中心から離れた領域を埋めてしまうと、十分な空間分解能を得ることができない。そこで、ｋ空間の中心から離れた領域を埋める場合、受信器９２から出力されるデジタル信号４２ｃを利用する。受信器９２のデジタル信号４２ｃは、信号範囲Ｂでは、受信器９１のデジタル信号４１ｃよりも量子化誤差が小さいので、受信器９２のデジタル信号４２ｃを利用することにより、十分な空間分解能を得ることができる。したがって、信号範囲Ｂについては、受信器９２から出力されたデジタル信号４２ｃを利用して、ｋ空間を埋める。
このようにして、ｋ空間にデータを埋めることができる。
【００４４】
本実施形態では、広いダイナミックレンジが必要になる場合、スイッチ８は、図５に示すような接続パターンに切り替わる。したがって、コイルエレメント４１、４３、４５、および４７の各々が、２つの受信器に接続される。このため、複数のコイルエレメントで磁気共鳴信号を同時に受信する場合であっても、ＡＤ変換器ＡＤＣの見かけ上のダイナミックレンジを広げることができる。
【００４５】
尚、ｋ空間にデータを埋める場合、デジタル信号４１ｃと４２ｃとの結合部分については、最小二乗法などを使用して誤差補正を行ってもよい。
【００４６】
また、中央処理装置１０が設定した減衰量と、アナログ信号が実際に減衰する量との関係を表す曲線を予め作成し、中央処理装置１０のメモリに記憶させておいてもよい。この曲線を作成しておくことにより、中央処理装置１０が設定した減衰量と、アナログ信号の実際の減衰量との間にずれが存在しても、そのずれを考慮してデジタル信号を補正することができる。
【００４７】
尚、本実施形態では、受信コイル４は、８個のコイルエレメント４ａ〜４ｈを有しているが、受信コイル４に必要なコイルエレメントの数は必ずしも８個に限定されることは無く、本発明は、受信コイル４が２個以上のコイルエレメントを有している場合に適用可能である。
【００４８】
また、本実施形態では、受信器９１〜９８は、アッテネータＡＴＴを有しているが、アッテネータＡＴＴの代わりに、コイルエレメント４１〜４８からのアナログ信号４１ａ〜４８ａを増幅するアンプを備えてもよい。
【符号の説明】
【００４９】
１  ＭＲＩ装置
２  磁場発生装置
３  テーブル
４  受信コイル
５  シーケンサ
６  送信器
７  勾配磁場電源
８  スイッチ
１０  中央処理装置
１１  入力装置
１２  表示装置
１３  被検体
１４  オペレータ
２１  ボア
２２  超伝導コイル
２３  勾配コイル
２４  送信コイル
３１  クレードル
４１〜４８  コイルエレメント
９１〜９８  受信器
【図１】
2011110271.tif 000003
【図２】
2011110271.tif 000004
【図３】
2011110271.tif 000005
【図４】
2011110271.tif 000006
【図５】
2011110271.tif 000007
【図６】
2011110271.tif 000008
【図７】
2011110271.tif 000009